(57)【要約】【課題】光源部から遠ざかっても光量の低下が抑えられるライトガイトパイプを有する光源装置を装備した面照明装置を提供する。【解決手段】少なくとも一つの半導体発光素子からなる光源部１１と、透明で偏平な棒状をなし、少なくとも長手方向の一端面の入射端面１２１に光源部が近設しており、長手方向と交差する一側面に反射側面１２２と、該反射側面と対向する他側面に出射側面１２３とを有するライトガイトパイプ１２とを有する光源装置１と、光源装置に近設した光入射面２１が出射側面に対面している導光板２とを有し、反射側面は、反射平面１２２０と反射斜面１２２１とを有し、該光源部から遠ざかるにつれて該反射斜面の面積比が増大していくように構成する。【選択図】      図１
2004319228.tif 000002
【特許請求の範囲】
【請求項１】
光源部とライトガイトパイプとからなる光源装置と、導光板とを有し、
該光源部は、少なくとも一つの半導体発光素子からなり、
該ライトガイトパイプは、透明で偏平な棒状をなし、少なくとも長手方向の一端面の入射端面に該光源部が近設しており、長手方向と交差する一側面に反射側面と、該反射側面と対向する他側面に出射側面とを有しており、
該導光板は、該光源装置に近設しており、光入射面が該出射側面に対面しているものであり、
該反射側面は、反射平面と反射斜面とを有し、該光源部から遠ざかるにつれて該反射斜面の面積比が増大していく
ことを特徴とする面照明装置。
【請求項２】
該反射側面は、反射斜面が山形のプリズムを鋸歯状に穿設したプリズムアレイの一斜面からなるものである
ことを特徴とする請求項１記載の面照明装置。
【請求項３】
該反射側面は、該光源部から遠ざかるにつれて、該反射斜面の面積が放射状に拡大していくか反射平面の面積が逆放射状に縮小していく
ことを特徴とする請求項１記載の面照明装置。
【請求項４】
該反射斜面は、該反射斜面と該反射平面とが交互に連設されたものである
ことを特徴とする請求項１記載の面照明装置。
【請求項５】
請求項１記載の面照明装置によって液晶表示パネルの前面側または背面側から照明される
ことを特徴とする液晶表示装置。
【発明の詳細な説明】
【０００１】
【発明の属する技術分野】
本発明は、フラットディスプレイ装置などを照明する面照明装置と、該面照明装置によって照明される液晶表示装置に関する。
【０００２】
【従来の技術】
対向する一対の平面状の基板間にいろいろな表示機能が集積されたいわゆるフラットディスプレイ装置が、かつてのＣＲＴディスプレイ装置に置き代わって発展している。
フラットディスプレイ装置の代表例としては、液晶表示装置（ＬＣＤ）やプラズマ表示装置（ＰＤＰ）、エレクトロルミネッセンス表示装置（ＥＬ）などがよく知られており、それぞれの表示機能に応じて実用されている。
【０００３】
ところで、プラズマ表示装置やエレクトロルミネッセンス表示装置は、明暗所にかかわらず、表示装置自らが発光する能動型のディスプレイ装置である。それに対して、液晶表示装置は、表示装置自ら発光せず、別途照明光源を必要とする受動型のディスプレイ装置である。
そのため、液晶表示装置は、明所では外光（太陽光）を光源として用いる形式もある。しかし、暗所で表示するに際しては何らかの照明が不可欠であり、液晶表示装置の主構成要素である液晶表示パネルの構成によって照明の仕方も異なったものとなっている。
【０００４】
例えば、反射型の液晶表示装置の場合には、少なくとも照明光が入射する一方の基板には、照明が透過するようにＩＴＯ（Ｉｎｄｉｕｍ  Ｔｉｎ  Ｏｘｉｄｅ）膜などの透明電極が用いられ、他方の基板には反射鏡が設けられている。
反射型の液晶表示装置は大画面のものがパソコンなどに用いられており、照明を外部の自然光のみに頼る場合には昼間は使えるが暗い夜間では使えない。そこで、最近ではフロントライト式と呼ばれる面照明装置を用いて液晶表示装置の目視する前面（フロント側）から照明し、夜間でも使えるようにしている。
【０００５】
一方、透過型の液晶表示装置は、液晶表示パネルの厚さ方向全体に光が透過できる構成になっており、小画面の携帯電話や大画面のパソコン、液晶ＴＶなどに多用されている。照明にはバックライトと呼ばれる面照明装置を用いて液晶表示パネルの背面（バック側）から照明できるように、面照明装置が液晶表示パネルの背面に配置された構成になっている。
【０００６】
ただし、携帯電話などでは、電池を長持ちさせる目的もあって、バックライトの面照明装置を点灯してないときには液晶表示パネルの前面からの外光によって反射型の液晶表示装置と同様に表示が視認できるように、半透過型の液晶表示装置が用いられるようになっている。
面照明装置は、一般に、光源装置と導光板とから構成されており、面照明装置としては、被照明物の、例えば、液晶表示パネルに対してバックライトと呼ばれる背面側からの照明か、フロントライトと呼ばれる表面側からの照明か、によって導光板の構成に異なる部分もあるが、光源装置としては共用できる。
【０００７】
図８は面照明装置の一応用例の模式図である。通常、面照明装置１０を構成している光源装置１と導光板２は、対面して近設しており、一体構成になっている場合が多い。
光源装置１から導光板２の光入射面２１から入射した破線で示した光は、例えば、導光板２の表面側に鋸歯状に並設された表反射プリズムアレイ２２の斜面で反射して面状に拡大されて照明光４となる。この照明光４が、被照明物５の表面側、例えば、反射型の液晶表示パネルの前面側から照明する。液晶表示パネルの中を往復し変調されて戻ってきた照明光４を表示画像として導光板２を介して視認する。フロントライト式照明と呼ばれる所以である。
【０００８】
もちろん、被照明物５が反射型の液晶表示パネルの場合には、面照明装置１０からのフロントライト式の照明ばかりでなく、昼間には太陽光などの外光４１が導光板２を介して照明しても表示画像を視認できる。
図９は面照明装置の他の応用例の模式図である。光源装置１から導光板２の光入射面２１から入射した破線で示した光は、例えば、導光板２の背面側に鋸歯状に並設された裏反射プリズムアレイ２３の斜面で反射して面状に拡大されて照明光４となり、被照明物５の背面側、例えば、透過型あるいは半透過型の液晶表示パネルの背面側から照明する。液晶表示パネルを透過して変調された照明光４によって表示画像を視認する。バックライト式照明と呼ばれる所以である。
【０００９】
もちろん、被照明物５が半透過型の液晶表示パネルの場合には、面照明装置１０からのバックライト式の照明ばかりでなく、昼間には太陽光などの外光４１による照明でも表示画像を視認できる。
このように、面照明装置は、被照明物の全面を面として定常的に均一に照明するものである。照明光は、点光源にしろ線光源にしろ、被照明物に近接配置された導光板によって被照明物の被照明面積の大きさまで２次元的に拡大される構成になっている。しかも、導光板を薄く構成するためには、導光板の側端部の切り口から光を入射するようにする。そこで、導光板の中に如何に光を入射させるかが、均一な面照明光を得る上で重要となる。従来では、導光板の側面に複数の光源を並設することも提案されている（例えば、特許文献１参照。）。
【００１０】
ところで、面照明装置の光源には、冷陰極線管のような元々長い線状の光源を用いることも行われている。しかし、面照明装置を薄型に構成するためには、管状の光源ではなく、例えば、ＬＥＤなどの半導体発光素子のような点光源を用いることが行われるようになっている。そのため、点光源を線状に拡大して導光板の側端部から入射させることが必要となる。
【００１１】
図１０は光源装置の一構成例の模式図である。光源装置１においては、光源部１１から発する光を導光板２の幅に見合って線状に引き伸ばすために、細長い棒状の部材、こゝではライトガイトパイプ１２と呼ばれるものを用いている。このライトガイトパイプ１２は、例えば、ＰＭＭＡなどのアクリル系の透明でモールド加工の容易な樹脂などからなる。
【００１２】
ライトガイトパイプ１２を用いた光源装置１は、例えば、発光ダイオードなどの半導体発光素子を点状に近い光源部１１として用い、この光源部１１をライトガイトパイプ１２の入射端面１２１に近設してライトガイトパイプ１２の中に導光する。ライトガイトパイプ１２に入射した破線で示した入射光を、導光板２の中に導光するには、ライトガイトパイプ１２の長手方向に導光された光を導光板２と対面する出射側面１２３まで曲折して集めなければならない。
【００１３】
そのために、ライトガイトパイプ１２の長手方向の側壁の一方の反射側面１２２には三角形の山形のプリズムをアレイ状に連設し、光源部１１からの入射光を反射側面１２２で適宜反射して直角に曲折し、出射側面１２３に向かわせる。
つまり、反射側面１２２には、光を反射するために複数の連なった斜面、いわゆるプリズムアレイ１２２２を設ける。このプリズムアレイ１２２２は、山形、つまりライトガイトパイプ１２の外部から見れば反射側面１２２にＶ字型の溝を穿いたものであり、ライトガイトパイプ１２の内部から見れば、ひとつ一つが山形に突出したプリズムになっている（例えば、特許文献２参照。）。
【００１４】
こうして、ライトガイトパイプ１２の中に導光した光は、反射側面１２２に設けられたプリズムアレイ１２２２で順次反射してライトガイトパイプ１２の長手方向に拡大され、線状の光として対向する出射側面１２３に向かう。そして、ライトガイトパイプ１２に近設された導光板２の光入射面２１の幅一杯に拡がって線状に入射するようになっている。
【００１５】
図１１はライトガイトパイプを用いた面照明装置の一性能例である。光源部１１から発した光は、導光板２の光入射面２１から入射し、導光板２の中で面状に拡大されて照明光４として出射する。この照明光４を強さを、導光板２の面上の格子状の分けた９箇所から出射する光の輝度（ｃｄ／ｃｍ２  ）として測定した結果が図１１である。照明光４の強さを縦軸で○印で示し、○を実線で結んで分布状態を示す。
【００１６】
導光板２の面上から出射する照明光４は、光源の発する光量を過不足なく面状に拡大し、どの位置でも平均輝度が高く、しかも、一様で輝度むら、つまり、最高の輝度と最低の輝度との差が大きくないことが望ましい。
【００１７】
【特許文献１】
特開平１１−１８４３８６号公報（請求項１、図１）
【００１８】
【特許文献２】
特開２００２−１０９９２８号公報（請求項１、図１）
【００１９】
【発明が解決しようとする課題】
ところが、図１１から分かることは、光源部１１から遠ざかるほど、つまり、ライトガイトパイプ１２上でＸの方向に向かうほど、照明光４の輝度が低くなる傾向がある。それに対して、導光板２の中では光源部１１から遠ざかっても照明光４の輝度の低下はさほど顕著ではない。
【００２０】
つまり、照明光４の輝度の低下は、主として、ライトガイトパイプ１２の中で起こっていることが分かる。こゝでは、照明光４の最高の輝度は、Ｘ方向で一番手前で、Ｙ方向では中央の部位が９８．０ｃｄ／ｃｍ２  、照明光４の最低の輝度は、Ｘ方向で一番奥で、Ｙ方向では一番手前の部位が５５．３ｃｄ／ｃｍ２  であった。輝度むらは、５６．４％、つまり  照明光４の輝度の差異が、最高／最低で１．７倍もあることが分かった。
【００２１】
そこで、本願発明は、光源から発してライトガイトパイプの中に入射した光を、ライトガイトパイプの中で光源からの距離に依存しないように均一にして導光板に入射させることができる光源装置を装備した面照明装置と、該面照明装置によって照明される液晶表示装置を提供することを目的としている。
【００２２】
【課題を解決するための手段】
上で述べた課題は、請求項１において、光源部とライトガイトパイプとからなる光源装置と、導光板とを有し、該光源部は、少なくとも一つの半導体発光素子からなり、該ライトガイトパイプは、透明で偏平な棒状をなし、少なくとも長手方向の一端面の入射端面に該光源部が近設しており、長手方向と交差する一側面に反射側面と、該反射側面と対向する他側面に出射側面とを有しており、該導光板は、該光源装置に近設しており、光入射面が該出射側面に対面しているものであり、該反射側面は、反射平面と反射斜面とを有し、該光源部から遠ざかるにつれて該反射斜面の面積比が増大していくように構成された面照明装置によって解決される。
【００２３】
つまり、光源部に用いる半導体発光素子の点状の光源をライトガイトパイプに導光し、導光板の幅に見合って線状の延伸して拡大するに際して、ライトガイトパイプを用いるようにしている。ライトガイトパイプの反射側面には、反射平面と反射斜面とを設け、光源部から遠ざかるにつれて、反射平面に対する反射斜面き面積比を大きくするようにしている。
【００２４】
そして、ライトガイトパイプに入射した光が、光源の近傍では反射斜面の反射面積が小さいので反射する光量が減少し、光源部から遠ざかるほど反射斜面の反射面積が大きくなるので反射する光量が増大するようにしている。
こうすることによって、光源部からライトガイトパイプに導光された光をライトガイトパイプの光源部から見て先の方まで行き渡らせることができる。その結果、光源部から発してライトガイトパイプに導光されて導光板に入射し、導光板を介して出射する照明光の光量の輝度むら、つまり、光源部から遠ざかるほど照明光の輝度が低下することを防ぐことができる。
【００２５】
次いで、請求項２において、反射側面は、反射斜面が山形プリズムが鋸歯状に穿設されたプリズムアレイの一斜面からなるものであるように構成された請求項１記載の面照明装置によって解決される。
つまり、ライトガイトパイプの反射側面に設ける反射側面は、外観的には反射側面にＶ形の溝を穿設し、ライトガイトパイプの内部に山形のプリズムが突出するようにしている。そして、その山形のプリズムが鋸歯状に連なるようにし、そのプリズムの一斜面、特に光源部に面した斜面を反射斜面として用いるようにしている。
【００２６】
そうすると、光源部からライトガイトパイプに導光された光は、連なる山形のプリズムの反射斜面で効率よく次々と反射する。そして、対向する出射側面から出射して近設された導光板に入射させることができる。
次いで、請求項３において、反射側面は、光源部から遠ざかるにつれて、反射斜面の面積が放射状に拡大していくか反射平面の面積が逆放射状に縮小していくように構成された請求項１記載の面照明装置によって解決される。
【００２７】
つまり、ライトガイトパイプの反射側面に設けた反射平面と反射斜面のうち、光源部から導光された光を反射側面から対向する出射側面により多く反射するのは反射斜面である。そこで、光源部から遠ざかるにつれて、反射斜面の面積を大きくなるようにしている。
そのために、反射側面は、光源部から遠ざかるにつれて、反射斜面の面積が放射状に次第に拡大していくようにするか、反射平面の面積が逆放射状に次第に縮小していくようにしている。
【００２８】
そうすると、光源部からライトガイトパイプに導光された光は、光源に近いほど反射斜面の面積が小さいので、光は反射せずに先へと進み、光源部から遠ざかるほど大きくなった反射斜面で反射することになる。その結果、導光板を介して出射する照明光の光量の輝度むら、つまり、光源部から遠ざかるほど照明光の輝度が低下することを防ぐことができる。
【００２９】
次いで、請求項４において、反射斜面は、反射斜面と反射平面とが交互に連設されたものであるように構成された請求項１記載の面照明装置によって解決される。
つまり、光源部からライトガイトパイプに導光された光は、反射側面に穿設された山形のプリズムアレイの反射斜面でのみ反射するのではなく、平滑な反射側面の反射平面で反射して出射側面から出射したり、反射平面で反射してからプリズムアレイの反射斜面に入射したり、いろいろに振る舞うことが起きる。
【００３０】
そこで、反射側面には山形のプリズムの反射斜面と次の反射斜面との間に反射平面を介在させ、プリズムアレイの反射斜面と反射側面の反射平面を交互に連設するようにしている。
こうして、光源部から発してライトガイトパイプに導された光を、反射斜面と反射平面の双方で効果的に反射して、ライトガイトパイプ内での光源の近部位と遠部位の光量むらを小さくするとともに、導光板への光量の増大を実現することができる。
【００３１】
最後に、請求項５において、請求項１記載の面照明装置によって液晶表示パネルの前面側または背面側から照明されるように構成された液晶表示装置によって解決される。
つまり、本発明の面照明装置は、反射型の液晶表示パネルにあってはフロントライト式に、透過型の液晶表示パネルにあってはバックライト式に照明して構成される液晶表示装置を実現するのに大いに有用である。
【００３２】
従って、本発明になるライトガイトパイプを用いた光源装置を備えた面照明装置を、液晶表示パネルを表面側から照明するフロントライトとして、あるいは液晶表示パネルを背面側から照明するバックライトとして用いれば、従来にない明るい液晶表示装置を得ることができる。
【００３３】
【発明の実施の形態】
図１は本発明の第一の実施例を示す模式的な斜視図、図２は第一の実施例の諸元を示す拡大斜視図、図３は本発明の効果を示す図、図４は本発明の第二の実施例を示す模式的な斜視図、図５は本発明の第三の実施例を示す模式的な斜視図、図６は本発明の第四の実施例を示す模式的な斜視図、図７は本発明の第五の実施例を示す模式的な斜視図である。
【００３４】
図中、１は光源装置、１１は光源部、１２はライトガイトパイプ、１２１は入射端面、１２２は反射側面、１２３は出射側面、１２２０は反射平面、１２２１は反射斜面、１２２２はプリズムアレイ、２は導光板、２１は光入射面、２２は表反射プリズムアレイ、２３は裏反射プリズムアレイ、３は液晶表示パネル、４は照明光、１０は面照明装置、２０は液晶表示装置である。
〔実施例１〕（請求項１、２または３）
図１と図２において、本発明になる面照明装置１０は、光源装置１と、光源装置１に近設する導光板２とからなる。これらの主要な構成要素のうち、光を透す素材には、例えば、アクリル系やノルボルナン系の透明なプラスチックスを用い、主としてモールド成形して構成する。
【００３５】
導光板２は、表面または裏面にいわゆるプリズムアレイを設けたもので、例えば、厚さ：Ｄ＝１．５ｍｍ程度の薄板からなり、図示してない被照明物を前面あるいは背面から面照明するものである。導光板２が、面照明装置１０として効果的に機能するためには、導光板２の光入射面２１の幅方向にわたって均一に光を導光する必要がある。
【００３６】
光源装置１は、光源部１１とライトガイトパイプ１２とで構成されており、光源部１１は、例えば、ＬＥＤのような半導体発光素子からなり、点状に近い光を発するチップ状の素子を用いる。この光をライトガイトパイプ１２の入射端面１２１からライトガイトパイプ１２の中に導光する。
光源部１１から発して入射端面１２１からライトガイトパイプ１２の中に導光した破線で示した光は、直方体のライトガイトパイプ１２の中で、反射側面１２２の反射平面１２２０と、反射側面１２２の内面に突出した反射斜面１２２１とで反射する。そして、光の一部は反射斜面１２２１で直接反射して出射側面１２３から出射して導光板２の中に入射し、光の他部は反射平面１２２０で反射してから反射斜面１２２１で反射して出射側面１２３から出射して導光板２の中に入射する。
【００３７】
出射側面１２３では、光源部１１の近傍では面積的に反射平面１２２０が大きいので光は緩やかな角度で入射して反射し、光源部１１から遠方へ到達する。その結果、ライトガイトパイプ１２の先の方へ向かう光量が多くなる。
ところで、図２において、反射斜面１２２１は、光源部１１の近傍から遠ざかるに従って放射状に拡がった構成になっている。その広がりの程度を勾配：αで示すとかなり緩やかでよく、例えば、α＝１／５０とした。また、反射斜面１２２１の傾斜の反射平面１２２０に対する角度：βや三角形のプリズムの頂角：γなども、いろいろな値を取り得る。こゝでは、好ましい角度：βと頂角：γの一例としてβ＝３８°、γ＝１０４°とした。
【００３８】
図３は、本発明になるライトガイトパイプを用いた際の効果を図示したものである。ライトガイトパイプの反射側面に設けた反射平面と反射斜面の諸元は図２に示したとおりである。
光源装置１を導光板２に近設して面照明装置１０に仕上げ、導光板２の格子状に分けた９箇所の部位から出射する照明光４の光量を輝度（ｃｄ／ｃｍ２  ）で縦軸で表したものである。実線で結んだ●は本発明になる面照明装置１０の照明光４の光量である。それに対して、破線で結んだ○は、図１１で示した従来例の照明光４の光量を参考値として示したものである。
【００３９】
その結果から分かるように、○の従来例では、光源部１１からＸ方向に遠ざかるほどライトガイトパイプ１２の中を光が到達し難くなる。そのために、導光板２を通って出射する照明光４の光量は低下する。
因みに、Ｘ方向で一番手前でＹ方向で中央部位で示す照明光４が最大の輝度と、Ｘ方向で一番遠くＹ方向で一番手前の部位で示す最小の輝度との比である輝度むらも５６．４％と大きい。つまり、倍近い輝度むらが現れる。
【００４０】
それに対して、●で示した本発明になるライトガイトパイプ１２を用いた場合には、光源部１１から遠ざかっても照明光４の光量の大幅な低下が見られず、しかも、輝度むらは７７．８％で、参考値として示した従来例に対して大幅に改善されている。つまり、導光板２の全面に渡って平準化された照明光４が得られることが分かる。
〔実施例２〕（請求項１、２または３）
図４において、光源装置１は、光源部１１とライトガイトパイプ１２とで構成されており、光源部１１は、実施例１と同様、例えば、ＬＥＤのような半導体発光素子からなる。この光をライトガイトパイプ１２の入射端面１２１からライトガイトパイプ１２の中に導光する。
【００４１】
ライトガイトパイプ１２の反射側面１２２では、光源部１１に近い部位では、反射平面１２２０の占有面積が反射斜面１２２１よりも大きく、光源部１１から遠ざかるに従って、放射状に大きくする実施例１の場合の勾配に見合った逆放射状に緩やかに小さくなる構成になっている。
それ故に、出射側面１２３では、光源部１１の近傍では面積的に反射平面１２２０が大きいので光は緩やかな角度で入射して反射し、光源部１１から遠方へ到達する光量が増大する。その結果、ライトガイトパイプ１２の先の方へ向かう光量を多くすることができる。このような構成のライトガイトパイプ１２を装備した光源装置１と導光板２とを用いれば、図３に示したと同様の効果を有する面照明装置１０を得ることができる。
〔実施例３〕（請求項４）
図５において、光源装置１は、光源部１１とライトガイトパイプ１２とで構成されており、光源部１１から発した点状の光は、ライトガイトパイプ１２の入射端面１２１からライトガイトパイプ１２の中に導光する。
【００４２】
ところで、ライトガイトパイプ１２の反射側面１２２では、反射平面１２２０で光が緩るやかな角度で入射して緩るやかな角度で反射する。その結果、反射平面１２２０で反射した光は、ライトガイトパイプ１２の先方まで向かう傾向が大きくなり、光源部１１から遠方へ到達する光量が増大する。
そこで、反射側面１２２に山形プリズムの反射斜面１２２１の間に反射平面１２２０を交互に配設する構成にし、ライトガイトパイプ１２の先方まで光が到達するようにする。
【００４３】
その結果、導光板２から出射する光量むら、すなわち、光源部１１から遠ざかるほど光量が低下する不具合を抑えることができる。そして、このような構成のライトガイトパイプ１２を装備した光源装置１と導光板２とを用いれば、図３に示したと同様の効果を有する面照明装置１０を得ることができる。
〔実施例４〕（請求項５）
図６において、本発明になる光源装置１に表反射プリズムアレイ２２を設けた導光板２を近設した面照明装置１０を反射型の液晶表示パネル３の前面側に配設し、フロントライト式に照明する液晶表示装置２０を構成した。その結果、照明むらがなく従来にない明るい照明による液晶表示装置２０が実現できた。
【００４４】
図７において、本発明になる光源装置１に裏反射プリズムアレイ２３を設けた導光板２を近設した面照明装置１０を透過型または半透過型の液晶表示パネル３の背面側に配設し、バックライト式に照明する液晶表示装置２０を構成した。その結果、明るく照明される従来にない液晶表示装置２０が実現できた。
こゝでは、光源装置を構成するライトガイトパイプの反射側面に対して、反射平面と反射斜面との面積比を漸増、漸減させる方法を例示したが、この例示に限定されるものではなく種々の変形が可能である。
【００４５】
また、反射平面と反射斜面との面積を漸増、漸減するために放射状に拡大したり、逆放射状に縮小したりする際の勾配：αや、反射斜面を構成する際の角度：β、γなどは、数値限定されるものではなく種々の変形が可能である。
【００４６】
【発明の効果】
本発明になる面照明装置によれば、光源装置を構成するライトガイトパイプの反射側面に対して、反射平面と反射斜面との面積比を漸増、漸減させて、光源部から発する光量をライトガイトパイプの先方までより多く到達させている。
その結果、本発明は、面照明装置の光源部から遠ざかるほど光量が低下して光量むらが生じる不具合を抑えることができる。従って、携帯電話やＰＤＡなどのようなディスプレイが必携のデジタル電子機器に対して、今後ますます要請される表示画像の高品質化の実現に寄与するところが大である。
【図面の簡単な説明】
【図１】本発明の第一の実施例を示す模式的な斜視図である。
【図２】第一の実施例の諸元を示す拡大斜視図である。
【図３】本発明の効果を示す図である。
【図４】本発明の第二の実施例を示す模式的な斜視図である。
【図５】本発明の第三の実施例を示す模式的な斜視図である。
【図６】本発明の第四の実施例を示す模式的な斜視図である。
【図７】本発明の第五の実施例を示す模式的な斜視図である。
【図８】面照明装置の一応用例の模式図である。
【図９】面照明装置の他の応用例の模式図である。
【図１０】光源装置の一構成例の模式図である。
【図１１】ライトガイトパイプを用いた面照明装置の一性能例である。
【符号の説明】
１  光源装置
１１  光源部                      １２  ライトガイトパイプ
１２１  入射端面                  １２２  反射側面
１２３  出射側面
１２２０  反射平面                １２２１  反射斜面
１２２２  プリズムアレイ
２  導光板
２１  光入射面                    ２２  表反射プリズムアレイ
２３  裏反射プリズムアレイ
３  液晶表示パネル
４  照明光
１０  面照明装置
２０  液晶表示装置
【図１】
2004319228.tif 000003
【図２】
2004319228.tif 000004
【図３】
2004319228.tif 000005
【図４】
2004319228.tif 000006
【図５】
2004319228.tif 000007
【図６】
2004319228.tif 000008
【図７】
2004319228.tif 000009
【図８】
2004319228.tif 000010
【図９】
2004319228.tif 000011
【図１０】
2004319228.tif 000012
【図１１】
2004319228.tif 000013